(57)【要約】  本発明は、少なくとも一つ環状ニードルベッドを有する丸編み装置において、二つの足片及び本体部分を有する編物製品を製造する方法である。この方法は、以下のステップから成る。（ａ）連続動作で第一の足片（３）を編むステップ；（ｂ）第一足片（３）の端部コース（２３）から始まり、連続動作で、第一織物ポケット（１７）を編むステップ；（ｃ）  連続動作で前記本体部分の中心部分（１５）を編むステップ；（ｄ）連続動作で、本体部分の中心部分から始まり、第二足片（５）のスタートコース（２９）に至るまでの第二織物ポケット（１９）を編むステップ；（ｅ）連続動作で、スタートコースから始まる第二足片（５）を編むステップ【選択図】  図２
2016526611.tif 000002
【特許請求の範囲】
【請求項１】
少なくとも一つ環状ニードルベッドを有する丸編み装置において、二つの足片及び本体部分を有する編物製品を製造する方法であって、
連続動作で第一の足片を編むステップと、
第一足片の端部コースから始まり、連続動作で、前記本体部分の第一側部を形成する第一織物ポケットを編むステップと、
連続動作で前記本体部分の中心部分を編むステップと、
連続動作で、本体部分の中心部分から始まり、第二足片のスタートコースに至るまでの第二織物ポケットを編むステップと、
連続動作で、スタートコースから始まる第二足片を編むステップと
を備えていることを特徴とする方法。
【請求項２】
全ての編むステップが、偶数の数のフィード、好ましくは、少なくも二つのフィード、より好ましくは、少なくとも四つのフィードによって実行され、かつ、
好ましくは全ての編むステップが、少なくとも一つのＳヤーン及び少なくとも一つのＺヤーンによって実行される
ことを特徴とする請求項１に記載の方法。
【請求項３】
前記本体部分の中心部分が、ステッチの複数の環状コースによって形成される筒状構造体を有する
ことを特徴とする請求項１又は２に記載の方法。
【請求項４】
連続動作で、第一織物ポケットを編むステップが、
第一足片の最後のコースから始まり、作動ニードルの数を段階的に減らし、最小の長さの部分的なコースに至るまで長さを段階的に減らして部分的なコースを形成する、連続動作で第一の一連の部分的なコースを編むステップと、
最小の長さの部分的なコースから始まり、作動ニードルの数を段階的に増やし、完全なコースを形成するまで、長さを段階的に拡大して部分的なコースを形成する、連続動作で第二の一連の部分的なコースを編むステップと
を有し、
前記第一の一連の部分的なコース及び前記第二の一連の部分的なコースの各部分的なコースが編まれた後に、各部分的なコースを形成したヤーンを切断する
ことを特徴とする請求項１〜３の一つ又は複数に記載の方法。
【請求項５】
第一の一連の部分的なコースが編まれた後、かつ、第二の一連の部分的なコースを編む前に、少なくとも一つのフィードのヤーンを用いて全環状ニードルベッドを通して完全なコースが編まれる
ことを特徴とする請求項４に記載の方法。
【請求項６】
連続動作によって前記本体部分の中心部分を編む前記ステップが、編物の環状部分を編む、全環状ニードルベッドを使用して実行される
ことを特徴とする請求項１〜５の一つ又は複数に記載の方法。
【請求項７】
連続動作で、第二の編物ポケットを編むステップが、
本体部分の中心部分の最後の完全なコースから始まり、作動ニードルの数を段階的に減らして、最小の長さの部分的なコースに至るまで長さを段階的に縮小しながら部分的なコースを形成する、第三の一連の部分的なコースを編むステップと、
最小の長さの部分的なコースから始まり、作動ニードルの数を段階的に増やして、全環状ニードルベッドを再び作動させるまで長さを段階的に拡大しながらコースを形成する、第四の一連の部分的なコースを編むステップと
を有し、
前記第三の一連の部分的なコース及び前記第四の一連の部分的なコースの各部分的なコースが編まれた後に、前記各部分的なコースを形成したヤーンが切断される
ことを特徴とする請求項１〜６の一つ又は複数に記載の方法。
【請求項８】
第三の一連の部分的なコースが編まれた後、かつ、第四の一連の部分的なコースを編む前に、
環状ニードルベッド全体を通して完全なコースが編まれる
ことを特徴とする請求項７に記載の方法。
【請求項９】
作動ニードルの数を段階的に減らすことが、部分的なコースの端部で、ヤーンの切断端部を保持する複数のニードルの作動を停止することによって実行される
ことを特徴とする請求項４，５，７及び８の一項又は複数に記載の方法。
【請求項１０】
前記複数のニードルが、少なくとも三つのニードルを備え、好ましくは、三つのニードルから成る
ことを特徴とする請求項９に記載の方法。
【請求項１１】
作動ニードルの数の段階的な増加が、部分的なコースの各端部で複数の各ニードルを再び作動させることで実行される
ことを特徴とする請求項９又は１０に記載の方法。
【請求項１２】
部分的なコースの各端部で複数の各ニードルの作動を停止することが、
フロートループを形成するために中間ニードルを低位置にもっていき、かつ、中間ニードルに隣接する二つのニードルを保持位置にもっていくことから成る
ことを特徴とする請求項９、１０又は１１に記載の方法。
【請求項１３】
前記複数のニードルが三つのニードルから成り、
各三つ組みのニードルにおいて、中間ニードルがフロートループを形成するために低位置にもっていかれ、残りの二つの端部ニードルが保持位置にもっていかれる
ことを特徴とする請求項９、１０又は１１に記載の方法。
【請求項１４】
開口を形成するために少なくとも本体部分の中心部分を切断するステップをさらに備えている
ことを特徴とする請求項１〜１３の一つ又は複数に記載の方法。
【請求項１５】
本体部分の少なくとも一部を編む間に、織物に開口を形成するステップをさらに備えている
ことを特徴とする請求項１〜１４の一つ又は複数に記載の方法。
【請求項１６】
連続動作での本体部分の編みの少なくとも一部分の間、各コースが前記開口を形成するために終端される時に、各フィードのヤーンが中断又は切断される
ことを特徴とする請求項１５に記載の方法。
【請求項１７】
本体部分の編みの前記一部分の間、開口が形成される時に、環状ニードルベッドが、前記開口を形成する中断コースの数の二倍に等しい複数の回数、回転する
ことを特徴とする請求項１６に記載の方法。
【請求項１８】
前記開口の周りに、好ましい弾性エッジを適用するステップをさらに備えている
ことを特徴とする請求項１４〜１７の一つ又は複数に記載の方法。
【請求項１９】
足片の端部を閉鎖するステップをさらに有する
ことを特徴とする請求項１〜１８の一つ又は複数に記載の方法。
【請求項２０】
本体部分及び二つの筒状足片を備えた編まれた下着であって、
本体部分が、中心部分の二つの編物サイドポケットを有し、
各ポケットが、筒状足片を形成する編物の伸張部分を構成する第一の一連の部分的なコースによって形成され、
前記第一の一連の部分的なコースの複数のコースが、各足片の完全最終コースから始まり、各ポケットの最小の長さの部分的コースに至る縮小される長さを有し、
かつ、各ポケットが、最小の長さの各コースと本体部分の中心部分との間に配置され、最小の長さの各部分的なコースから始まり、本体部分の中心部分の各完全なコースに至るまで、拡大する長さを有する第二の一連の部分的コースによって形成された
編まれた下着において、
編物ポケットの部分的なコースが、各コースの端部に対応する位置で切断されたヤーンによって形成される
ことを特徴とする編まれた下着。
【請求項２１】
本体部分の中心部分が、連続動作で編むことによって得られる構造を有する編物によって製造される
ことを特徴とする請求項２０に記載の編まれた下着。
【請求項２２】
本体部分の前記中心部分、前記足片及び前記織物ポケットが、少なくとも二つのフィードのヤーンによって形成される
ことを特徴とする請求項２０又は２１に記載の下着。
【請求項２３】
前記切断ヤーンが、部分的なコースの端部で、多重ステッチと、多重ステッチの間に設けられたフロートループとを形成する
ことを特徴とする請求項２０〜２２の一つ又は複数に記載の下着。
【請求項２４】
各ポケットの二つの隣接する部分の部分的なコースが、結合ラインに沿って分配され、
これらの結合ラインに沿って、完全なコースが伸びる
ことを特徴とする請求項２０〜２３の一つ又は複数に記載の下着。
【発明の詳細な説明】
【技術分野】
【０００１】
本発明は、二本の脚部及び本体部分を有する製品又は下着、例えば、パンティーストッキングやタイツ等の製造方法の改良に関する。特に、本発明は、一列又は二列の針床が設けられた丸編み機で単一の編み行程を用いて上述したタイプの縫い目のない下着を製造する方法に関する。
【背景技術】
【０００２】
タイツ、パンティーストッキング及び同様の編み製品の生産の分野では、単一の生産工程において丸編み機で編まれる縫い目のない連続製品又は下着を得るために、自動編み行程の新しい方法及びシステムが継続的に調査されている。
【０００３】
幾つかの調査は、６０年代に開発された工程に基づくものである。前記工程によれば、丸編み装置において、第一足片の端部から始まり、第二足片の端部まで行われ、三つの連続する筒状部分、即ち、二つの足片に加えて、製品の本体部分を形成する部分を編む単一の工程が行われている間に筒状製品が編まれる。その後、丸編み装置から取り出される筒状製品は、中心領域において切断され、身体のウェストを形成するために周りに弾性エッジが縫われる開口を形成する。この公知の工程は、英国特許ＧＢ１２３５３６１号に開示されている。そのフィット性を良くするために、本体には、幅広のステッチが編まれ、筒状製品、即ち、衣服の中心部分は、足片の部分より僅かに大きい部分を有する。
【０００４】
英国特許ＧＢ１２３５３６１号に開示されている方法は、それが丸編み装置で連続した動作で実行され得るので、非常に速い。しかし、この方法で製造された製品は、筒状足片とコース当たりのステッチの数が同じである筒状編物によって形成される本体部分が、十分に密接してフィットしないという成果しか得られない。より詳細には、本体部分の高さが非常に制限され、弾性エッジがクロッチラインに非常に近づいてしまう。
【０００５】
制限及びその欠点を解消することを目的として、この方法に対する多くの改良が研究されている。
【０００６】
米国特許第２９６２８８４号は、第一足片を編んだ後で、第二足片を編む前に、丸編み機で、往復動作を用いて、徐々に縮小し、その後、次第に広がるコースを編むことによって、編物の二つのポケットを製造する方法を開示している。また、二つのポケットに加えて、中間領域、即ち、中間部分が往復動作によって形成される。往復動作によって編まれた、この二つのポケット及び中間部分が下着の本体部分を形成し、この本体部分は、英国特許ＧＢ１２３５３６１号に開示されたオリジナルの方法で製造された本体部分より、十分に高い。
【０００７】
しかし、米国特許第２９６２８８４号に開示された方法は、下着の殆どの部分が往復動作によって編まれるので非常に遅い。この欠点にも拘わらず、現在のところ、シームレスタイツは、この方法を用いて製造されている。特に、オーストリアの会社であるウォルフォード社のシームレスタイツは、足片を編むための連続動作と本体部分を編むための往復動作とを組み合わせた、この方法によって生産されている。
【０００８】
米国特許第４０２２０３５号は、米国特許第２９６２８８４号の技術と似た技術を用いて、丸編み装置で、単一工程でタイツを製造する方法を開示している。この別の実施例では、往復動作によって中心本体部分を編むと共に、丸編み装置上に直接的に下着の開口を形成するように適当な針の選択がなされる。この方法は、針シリンダの往復動作によって殆どが形成されるので、やはり非常に遅い。
【０００９】
従って、丸編み装置で単一工程を使用してパンティーストッキング、タイツ及び類似の製品、即ち、本体部分と二つの足片を有する下着を編む方法をさらに改良し、従来公知の方法の欠点を解消又は低減する必要性がある。
【先行技術文献】
【特許文献】
【００１０】
【特許文献１】英国特許ＧＢ１２３５３６１号公報
【特許文献２】米国特許第２９６２８８４号公報
【特許文献３】米国特許第４０２２０３５号公報
【発明の概要】
【００１１】
身体にぴったりフィットする製品、即ち、下着をより早く、より効率的に製造するために、ニードルシリンダの連続動作で本体部分が編まれ、二つのサイドポケット、言い換えれば、製品即ち下着のサイドに配置されたポケットを形成し、各コースにおいてステッチの数が段階的に減少し、その後増加する方法が実質的に提供される。シリンダが連続動作で動くので、各部分的コースが形成された時に、ヤーンは切断され、縮小及び拡大の両方を形成する。ヤーンの端部は、作動ニードルによって形成されるステッチを用いて、織物に留められ、製品に伝線が生じることを回避する。ニードルシリンダの間欠的な動作ではなく、連続動作により下着のサイドにおける編物のポケット及び本体部分の中間即ち中央部分を形成することで、短時間で身体にぴったりフィットした製品を製造することが可能になる。
【００１２】
実際には、有利な実施例によれば、少なくとも一つの環状ニードルベッドを備えた丸編み装置において、二つの足片及び一つの本体部分を備えた編まれた製品、即ち、下着を製造する方法が提供される。
前記方法は、以下のステップを有する。
・連続動作で第一の足片を編むステップ
・第一足片の端部コースから始まり、連続動作で、前記本体部分の第一側部を形成する第一織物ポケットを編むステップ
・連続動作で前記本体部分の中心部分を編むステップ
・連続動作で、本体部分の中心部分から始まり、第二足片のスタートコースに至るまでの第二織物ポケットを編むステップ
・連続動作で、スタートコースから始まる第二足片を編むステップ
【００１３】
幾つかの実施例では、本体部分の少なくとも一部分を編んでいる間に、織物に開口が形成され、最終製品において、この開口は、製品を着るための開口になる。一度、製品が、それが製造される丸編み装置から取り外されると、この開口の周囲に、有利には、仕上げ弾性エッジが適用され得る。
【００１４】
有利な実施例では、全ての編みステップは、同じ数のフィード、即ち、作動ヤーンの数と同じ数のフィードにより実行される。フィードの数は、好ましくは、二つより大きく、その結果、ニードルシリンダが回転する毎に、フィードの数に等しい複数のコースが形成されるので、編み工程がより早くなる。有利な実施例では、フィードの数は、偶数であり、例えば、二つのフィードである。幾つかの実施例では、四つのフィードを使うことにより、より早い生産速度を達成することが可能になる。
【００１５】
有利には、所謂、Ｓヤーン及びＺヤーンが使用され得、例えば、２本のＳヤーンと２本のＺヤーンとが、好ましくは、交互に配置される。
【００１６】
別の特徴によれば、二つの足片及び一つの本体部分を備えた編み製品を、少なくとも一つの環状ニードルベッドを有する丸編み装置で製造する方法が提供される。この方法は、以下のステップを有する。
・連続動作で第一の足片を編むステップ
・第一足片の端部コースから始まり、連続動作で第一織物ポケットを編むステップ
第一ポケットは、本体部分の第一サイド部分を形成し、長さが段階的に縮小する第一の一連の部分的なコースと、長さが段階的に拡大する第二の一連の部分的なコースとを有し、各部分的なコースを形成するヤーンは、各部分的なコースの端部で切断される。
・連続動作で前記本体部分の中心部分を編むステップ
・連続動作で、本体部分の中心部分から始まり、第二足片のスタートコースに至るまでの第二織物ポケットを編むステップ
第二ポケットは、本体部分の第二サイド部分を形成し、長さが段階的に縮小する第三の一連の部分的なコースと、長さが段階的に拡大する第四の一連の部分的なコースとを有し、第三の一連の部分的なコースと、第四の一連の部分的なコースとの各々を形成するヤーンは、各部分的なコースの端部で切断される。
・連続動作で、スタートコースから始まり、爪先に至る第二足片を編むステップ
【００１７】
別の特徴によれば、編み製品、即ち、下着には一つの本体部分及び二つの筒状足片が設けられ、本体部分は、中心部分及び二つの織物サイドポケットを備えている。各ポケットは、第一の一連の部分的なコースによって形成される。この第一の一連の部分的なコースは、二つの筒状足片を形成する編物の伸張部であり、各筒状足片の最後の完全コースから始まり、各ポケットの最も短い長さの部分的なコースに至る縮小する長さを有する。また、各ポケットは、第二の一連の部分的なコースによって形成される。この第二の一連の部分的なコースは、本体部分の中心部分を形成する織物の伸張部であり、最小の長さの各部分的なコースから始まり、本体部分の中心部分の各完成したコースに至る拡大する長さを有する。有利には、織物ポケットの部分的なコースは、各部分的なコースの端部に対応する位置で切断されたヤーンによって形成される。これは、連続動作で部分的なコースを編む結果であり、各部分的なコースが完成した時に、各ヤーンは切断され、編み装置のシリンダが、その動きを停止したり、反転したりすることなく、その回転を継続することを可能にする。また、有利には、本体部分の中心部分は、連続動作で製造され、従って、ステッチの環状コースによって形成される。
【００１８】
以下に、添付の特許請求の範囲において、この明細書の一体的部分を形成する本発明の実施例を参照して、さらなる特徴及び実施例を説明していく。
【図面の簡単な説明】
【００１９】
【図１】本発明による方法によって製造された編み製品、即ち、下着の一部の概略正面図である。
【図２】図１に示した下着の斜視図である。
【図３Ａ】本体部分のサイドエリアを形成する二つの織物ポケットの一方に沿った縮小及び拡大するコースの形成領域を示す図である。
【図３Ｂ】本体部分のサイドエリアを形成する二つの織物ポケットの一方に沿った縮小及び拡大するコースの形成領域に対応する針の制御を示す図である。
【図４Ａ】本体部分のサイドエリアを形成する二つの織物ポケットの一方に沿った縮小及び拡大するコースの形成領域を示す図である。
【図４Ｂ】本体部分のサイドエリアを形成する二つの織物ポケットの一方に沿った縮小及び拡大するコースの形成領域に対応する針の制御を示す図である。
【図５Ａ】本体部分のサイドエリアを形成する二つの織物ポケットの一方に沿った縮小及び拡大するコースの形成領域を示す図である。
【図５Ｂ】本体部分のサイドエリアを形成する二つの織物ポケットの一方に沿った縮小及び拡大するコースの形成領域に対応する針の制御を示す図である。
【図６Ａ】本体部分のサイドエリアを形成する二つの織物ポケットの一方に沿った縮小及び拡大するコースの形成領域を示す図である。
【図６Ｂ】本体部分のサイドエリアを形成する二つの織物ポケットの一方に沿った縮小及び拡大するコースの形成領域に対応する針の制御を示す図である。
【図７Ａ】本体部分のサイドエリアを形成する二つの織物ポケットの一方に沿った縮小及び拡大するコースの形成領域を示す図である。
【図７Ｂ】本体部分のサイドエリアを形成する二つの織物ポケットの一方に沿った縮小及び拡大するコースの形成領域に対応する針の制御を示す図である。
【図８】それに従って、二つの織物ポケットを形成するコースの一部の端部領域において針が動くスキームを示している。
【図９】それに従って、二つの織物ポケットを形成するコースの一部の端部領域において針が動くスキームを示している。
【図１０】それに従って、二つの織物ポケットを形成するコースの一部の端部領域において針が動くスキームを示している。
【図１１】ここで説明する方法が実行され得る編み装置の概略長手方向横断面図である。
【図１２】編み工程中に、本体部分に開口を形成するための方法を示しており、前記開口には、その後に弾性エッジが設けられる。
【図１３】編み工程中に、本体部分に開口を形成するための方法を示しており、前記開口には、その後に弾性エッジが設けられる。
【図１４】編み工程中に、本体部分に開口を形成するための方法を示しており、前記開口には、その後に弾性エッジが設けられる。
【図１５】編み工程中に、本体部分に開口を形成するための方法を示しており、前記開口には、その後に弾性エッジが設けられる。
【図１６】編み工程中に、本体部分に開口を形成するための方法を示しており、前記開口には、その後に弾性エッジが設けられる。
【図１７】編み工程中に、本体部分に開口を形成するための方法を示しており、前記開口には、その後に弾性エッジが設けられる。
【図１８】編み工程中に、本体部分に開口を形成するための方法を示しており、前記開口には、その後に弾性エッジが設けられる。
【図１９】編み工程中に、本体部分に開口を形成するための方法を示しており、前記開口には、その後に弾性エッジが設けられる。
【図２０】編み工程中に、本体部分に開口を形成するための方法を示しており、前記開口には、その後に弾性エッジが設けられる。
【図２１】編み工程中に、本体部分に開口を形成するための方法を示しており、前記開口には、その後に弾性エッジが設けられる。
【図２２】編み工程中に、本体部分に開口を形成するための方法を示しており、前記開口には、その後に弾性エッジが設けられる。
【発明を実施するための形態】
【００２０】
本発明は、本発明の非限定的実施例を示す添付図面及び以下の説明によって、より良く理解されることになる。
【００２１】
以下に添付図面を参照して実施例について詳細に説明する。異なる図面中の同じ参照符号は、同一又は類似の構成要素を示す。さらにまた、図面は必ずしも縮尺通りではない。以下の詳細な説明は、本発明を制限するものではない。本発明の保護範囲は、添付した特許請求の範囲によって決めされる。
【００２２】
以下の説明において、「（ある）実施例」「（その）実施例」」又は「幾つかの実施例」の語は、ある実施例を参照して説明した特別な特徴、構造又は要素が、その説明している較正要件の少なくとも一つの実施例に含まれていることを意味する。従って、明細書中の「（ある）実施例において」「（その）実施例において」又は「幾つかの実施例において」の語は、必ずしも同じ一つの又は幾つかの実施例を指すものではない。さらにまた、特別な特徴、構造又は要素は、任意の適当な方法で、一つ又は幾つかの実施例において組合せられ得る。
【００２３】
図１は、以下に説明する方法に従って製造された製品、即ち、下着の平坦平面図を概略的に示す。図２は、同じ製品、即ち、下着の斜視図である。
【００２４】
図１１は、それによって、ここで説明する方法に従って製品、即ち、下着が編まれ得る編み装置を概略的に示している。良く知られているように、この装置は、ニードルベッドＡ及び、場合によっては、各ニードルの下に配置されたジャッキＪが設けられたシリンダ１０１を有する。シリンダ１０１は、その軸線Ａ−Ａを中心に連続回転動作で動き、その結果、ニードルは、不図示の一つ又は複数の供給手段から供給されるヤーンを用いて製品を編む。ニードルの動きは、カム１０３、セレクター１０５及びニードルの制御に必要な任意の他の部材によって制御される。ニードル作動及び制御部材は、好ましくは、固定されており、言い換えれば、それらは、ニードルシリンダ１０１の軸線Ａ−Ａを中心に回転しない。ダイヤル１０５は、ニードルシリンダ１０１に関連付けされ得る。他の実施例では、周知のように、装置は、二つの重ね合わされたニードルシリンダを有し得る。ここで説明するタイプの下着を編むのに適した編み装置の詳細は、当業者には周知であり、さらなる説明は必要としない。逆に、本発明の方法は、本体部分と二つの足片を有する製品、即ち、下着を生産するための丸編み装置を用いて現在実行されている方法に対して新規である。この新規な方法の編みステップが、以下に、詳細に説明される。
【００２５】
幾つかの実施例では、全体が符号１で示される下着、即ち、製品は、第一筒状足片３及び第二筒状足片５を有する。二つの筒状足片３及び５の各々は、開放又は閉鎖され得る、各つま先、即ち、端部（図示せず）から、符号７で示す上側本体部分までのびている。筒状足片は、例えば、タイツやパンティーストッキングの場合、製品の各足を形成する端部までのび得る。他の実施例では、筒状足片３及び５は短くされ得、本体部分７と一緒に、一種のニッカーズ（ブルマやパンティ）を形成するように、僅かな数のステッチのコースで構成され得る。
【００２６】
本体部分７は、仕上げエッジ１１、好ましくは、弾性エッジで囲まれた開口９を有する。弾性エッジ１１は図２に示されている。図１は、未だ完成していない製品、即ち、下着、詳細には、エッジ１１がそれに適用される前の製品を示している。図１の製品は、本体部分７の上部に開口１３を有しているだけであり、その後に、そのエッジに沿って、エッジ１１が縫われる。
【００２７】
有利な実施例では、本体部分７は、中心部分１５及び二つのサイド部分１７及び１９から成る三つの部分を有する。以下により詳述するように、サイド部分１７及び１９の各々は、少なくとも一つの各織物ポケットを有する。各織物ポケットは、ニードルシリンダの連続動作によって形成されるステッチの徐々に縮小し拡大する長さの部分的なコースを有し、また、本体部分の中心部分１５も、ニードルシリンダの往復動作というよりは、連続動作によって形成され、その結果、現在使用されている方法に対して、より高い生産性が得られる。従って、短い時間間隔で、その側部に、製品のフィット性を向上させる織物ポケットを有する製品を編むことが可能になる。これらの編物ポケットのおかげで、中心本体部分の弾性が制限されず、従って、製品、即ち、下着が、比較的大きなサイズを身に着ける人々によっても使用され得る。
【００２８】
幾つかの実施例では、製品、即ち、下着１は、丸編み装置、例えば、場合によってはダイヤルを備えた単一シリンダ丸編み装置における単一編み工程によって製造される。ダブルシリンダ装置を使用することもできる。
【００２９】
編み工程は、実質的に、一連のステップで構成され、その最後のステップで、本体部分及び筒状足片を備えた完全な製品が製造される。より詳細には、編み工程は、以下に説明するように、例えば、七つの連続ステップに分割され得る。
【００３０】
編み工程は、筒状足片３から、又は、筒状足片５から差別せずに開始され得る。説明を実用的にするために、以下の説明では、筒状足片３を編むことによって始まり、筒状足片５を編むことで終了する工程を参照していくが、筒状足片５を編むことで始まり、筒状足片３を編むことで終わるように工程が反転され得ることは理解される。
【００３１】
公知の丸編み装置（図示せず）における第一編みステップでは、筒状足片３が通常の連続動作によって編まれ、ここでは、ニードル制御カムが、好ましくは、静止したままであり、そして、ニードルシリンダが、連続動作によって、それ自身の軸を中心に回転する。筒状足片３を編むために、全てのニードルを使用すること、又は、それらを選択することで、特別な効果を生み出すことが可能である。しかし、足片は筒状の伸張部を有するので、ステッチのコースは、通常、少なくとも、部分的に、ニードルベッドの円周全体に広がるように形成される。
【００３２】
筒状足片３を編むために、ニードルベッドには、一つ又は複数のフィードが供給され得る。好ましくは、少なくとも二つのフィードが使用され、より一般的には、偶数のフィードが使用される。この方法では、コートされたヤーン又はスパイラルヤーンが使用される場合、同じ数のＺヤーン及びＳヤーンを使用すること、即ち、例えば、時計回り又は反時計周りに巻かれたフィラメントによってコートされた弾性コアを備えたヤーンを使用することが可能になる。当業者に周知なように、同時にＺヤーン及びＳヤーンを使用することにより、ねじれる傾向がない、製品のより良い一貫性が得られる。さらにまた、一つ以上のフィードを使用することにより、ニードルシリンダが完全に一回転する毎に、通常、作動しているフィードの数と同じ数の多数のコースが形成されるので、より早い生産が可能になる。好ましい実施例では、四つのフィードが使用され、その結果、シリンダの回転毎に四つの連続したステッチのコースが形成される。
【００３３】
筒状足片３の編みは、最後の円ｃ、即ち、符号２３で示した最後のステッチの円形コースを形成することで終わる。完全なコース２３は、好ましくは、これが必須ではないとしても、丸編み装置に設けられたニードルと同じ数の複数のステッチから成る。重要なことは、このコースが、それ自体が閉鎖していることだけである。
【００３４】
図１に符号ＲＧ３で示された水平に伸びるステッチのコースは、従って、筒状足片３に沿って形成されている。コースＲＧ３を形成するステッチは、実質的に、図２において符号ＣＧ３で示すように、筒状足片３の伸張方向に沿ったステッチの実質的に長手方向の列に従って配置される。
【００３５】
次いで、プロセスの第二のステップは、丸編み装置において実行される。このステップは、連続動作で、徐々に縮小する長さの第一の一連の部分的なコースを編み、編物ポケット１７の第一部分１７Ｄを形成するステップから成る。図３Ａ〜図９を参照して、どのようにして、ポケットのこの部分及びポケットの残りの部分１７及び１９が連続動作で形成されるのかを以下に詳細に説明していく。
【００３６】
ポケット１７の部分１７Ａが形成されている間に、ステッチの部分的なコースが、連続的に編まれる。前記ステッチの部分的なコースは、完成コース２３から始まり、最小の長さのコースＲＭ１７まで、その長さが徐々に減少し、前記コースＲＭ１７が、編み工程の第二ステップを終了させる。コースＲＭ１７は、二本の対向するラインＬ１７の両方が符号Ｃ１で示された一方の端部から他方の端部までのびる。実際、編むために複数のフィードが使用されているので、最小の長さの部分的なコースＲＬ１７の数は、好ましくは、使用されているフィードの数より多いか、それに等しく、例えば、４である。
【００３７】
ポケット１７の部分１７Ｄに沿って相互に続く部分的なコースの端部は、二つの対向する区切りラインＬ１７に従って配置されている。前記区切りラインＬ１７は、一方が下着の前面にあり、他方が背面にあり、これらは、コース２３からコースＲＭ１７まで傾斜してのびる。図示されていないとしても、ポケット１７の領域に、実際には、二つの実質的に鏡面状のラインＬ１７が、一方は前面に、他方は背面にあることは理解される。これらの対向するラインＬ１７は、編み工程のこのステップで形成される部分的なコースの一列に並べられた端部で構成される。各部分的なコースは、切断したヤーンによって終端する。従って、ラインＬ１７に沿って、織物ポケット１７の部分１７Ｄの部分的なコースを形成するヤーンの切断した端部が配置される。ポケット１７は、ニードルシリンダの往復動作ではなく、連続動作で編まれるので、各形成された部分的なコースの端部でヤーンを切断することが必要とされる。
【００３８】
また、ポケット１７の部分１７Ｄは、複数のフィードを用いて編まれ得る。好ましくは、第一筒状足片３を編むために使用したフィードの数と同じ数の複数のフィード、従って、四つのフィードが使用される。織物ポケットの部分１７Ｄは、筒状足片３を編むために使用したヤーンと同じヤーンによって、又は、異なるヤーン、例えば、異なるカウント、合成又は構造のヤーンによって、形成され得る。幾つかの実施例では、ヤーンの種類は、ポケット１７の部分１７Ｄを編む間の中間のステップで交換され得る。
【００３９】
一般的に、ポケット１７の部分１７Ｄを編んでいる間に、同じ長さのコースのグループが製造され、前記長さは、コースの一つのグループから次のグループまで縮小する。コースの各グループは、好ましくは、編み装置のニードルに供給されるフィードの数と同じ数の複数のコースを含む。
【００４０】
一度、ポケット１７のこの部分１７Ｄが完全に形成されると、次のステップが、符号１７Ｃで示されるポケット１７の第二部分の編みを開始する。ポケット１７の部分１７Ｃは、ニードルシリンダの連続動作で編まれ、段階的に広げられ、即ち、ポケット１７のこの部分１７Ｃを編む間に、相互に続くコースの長さが段階的にのばされる。また、ポケット１７の部分１７Ｃは、複数のフィード、好ましくは、四つのフィードからヤーンを、連続動作で回転しているシリンダに供給することで形成され得る。従って、ポケット１７の部分１７Ｄを形成する縮小する長さのコースの構成を参照して上述したように、ポケット１７の部分１７Ｃを形成している間に、それぞれがフィードの数と等しい数のコースを有するコースのグループを形成することが実際に可能になり、そこで、各グループのコースは同じ長さを持ち、即ち、同じ数のステッチで形成され、この数は、コースのあるグループから次のグループまで段階的に増える。
【００４１】
ポケット１７の部分１７Ｃを形成するための編み工程の第三ステップの間に形成される様々な部分的なコースの端部は、部分１７Ｄを形成する長さが縮小する部分的なコースに結合される。縮小する部分的なコースと、拡大する部分的なコースとは、ラインＬ１７に沿って、後続の図面を参照して以下に説明するように、結合される。
【００４２】
ポケット１７の部分１７Ｃを編み工程は、単一のコースの長さを徐々に拡大しながら、部分１７Ｃの最後のコース２５を形成するまで続けられる。この最後のコース２５は、完全なコースであり即ち、環状伸張部を有し、好ましくは、装置の全部のニードルの数と同じ数のステッチで形成されている。この完全なコース２５の形成により、下着、即ち、製品の第三編みステップを終わらせる。実際、好ましくは、複数のフィードが使用されるので、ポケット１７の部分１７Ｃの編みは、使用されるフィードの数に等しい数の完全なコースを、ニードルシリンダの一回転で、形成することで終了する。
【００４３】
製造工程の次のステップは、本体部分７の中心部分１５を形成することにある。この中心部分は、ニードルシリンダの連続動作を維持することで編まれ、コース２５に実質的に並行な環状伸張部を完全なコースに続けてニードルで形成する。最後の完全なコース２７の形成により、本体部分７の中心部分１５の編みは終了する。
【００４４】
特に図２に示すように、ポケット１７の部分１７Ｃ及び本体部分７の中心部分１５において、形成された編物のステッチは、それを通して下着、即ち、製品が着用される開口を画定するエッジ１１に実質的に並行な段に従って配置される。従って、ステッチのコースは、実質的に、段に対して直交している。
【００４５】
次の編みステップでは、ポケット１７を形成するために使用された方法を実質的に反映する行程で、ポケット１９の二つ部分１９Ｄ及び１９Ｃが形成される。
【００４６】
より詳細には、編み行程の第五ステップは、ニードルシリンダの連続動作によって徐々に縮小する長さの一連の部分的なコースを形成することから成る。前記部分的なコースは、本体部分７の中心部分１５を完成させるコース２７から始まる。ポケット１９の部分１９Ｄを形成する部分的なコースは、二つのラインＬ１９に沿って配置される端部を有する。前記ラインＬ１９は、一方しか図示されてなく、他方はこれの反対側にある。ラインＬ１９は、ラインＬ１７と同等である。
【００４７】
ラインＬ１９に沿って、ポケット１９の部分１９Ｄを画定する部分的なコースを形成するヤーンの端部は固定され、これら部分的なコースが形成される間に、それらは切断され、ニードルシリンダの連続回転を可能にする。
【００４８】
符号ＲＭ１９で示される最短な長さの部分的なコースの形成は、編み行程の第五ステップを終わらせ、この部分的なコースＲＭ１９は、二つの対向するラインＬ１９の一方から他方の端部Ｃ２までのびている。
【００４９】
この第五ステップの後、ポケット１９の第二部分１９Ｃを形成する第六編みステップが始まる。この第六ステップでは、最小の長さのコースＲＭ１９から、完全な環状コース２９まで、徐々に拡大する長さの部分的なコースが形成される。前記完全な環状コース２９は、好ましくは、装置に設けられたニードルの数と同じ数のステッチによって形成される。このコース２９は、編物ポケット１９の最後のコースであり、筒状足片５の最初のコースである。
【００５０】
実際には、ここで、筒状足片５の開始コース２９から始まり、その端部（図示せず）の最終コースに至る連続コースＲＧ５を形成する、下着１の編み行程の第七及び最終ステップが始まる。
【００５１】
ポケット１７及び筒状足片３を参照して説明したことと対称的に、ポケット１９の部分１９Ｄに沿って、ステッチのカラムＣＣは、実質的に、エッジ１１と並行に配置され、同時に、ラインＣＧ５で概略的に示すように、部分１９Ｃ及び足片５に沿って、カラムは、筒状足片５の長手方向に従って、配置される。
【００５２】
編物ポケット１７及び１９を形成する行程について、図３Ａ、３Ｂ〜７Ａ及び７Ｂを参照して以下により詳細に説明していく。以下に説明されることは、下着、即ち、製品１を形成するために用いられる装置が四つのフィードを有するという特定のケースを参照する。これは、下着、即ち、製品１を編むために、現在のところ、好ましい数である。この実施例の開示から、当業者は、異なる数のフィードを使用して製品、即ち、下着を製造することが、どのようにして可能であるかを理解し得る。
【００５３】
図３Ａ〜７Ａ及び３Ｂ〜７Ｂを参照して、ポケット１７を編むステップを以下に説明していく。ポケット１７を編むステップは、（簡単に上述したように）徐々に縮小するコースから成る部分１７Ｄ、即ち、コース長が縮小する領域を有する部分１７Ｄの形成から始まり、その後、部分的なコースの長さが徐々に拡張する領域１７Ｃを編む。編み行程のこれら二つの説明から、対応する方法で、どのようにポケット１９が編まれるかは容易に理解される。
【００５４】
以下に行程を説明していく。この行程では、部分的なコースの長さは、一定で直線的な方法で縮小され、即ち、ニードルシリンダの各回転毎に、コースの長さは同じだけ減少される。前記部分的なコースの長さは、単一のコースを形成するステッチの数として理解される。当業者は、この動作モードが、ここで説明する方法を実現する唯一の方法であることを理解するであろう。実際、縮小及び拡大する列、即ち、徐々に縮小して拡大する長さのコースの列は、ここで説明されるものとは異なり得る。二つのポケット１７及び１９における縮小及び拡大のパターンは、好ましくは、鏡像的であるが、列は、下着の前側と後側で同じである必要はない。これは、異なる長さを有する連続するコースが、編物の二つの部分（前側及び後側）で、異なる方法で、長さを縮小し、又は拡大し得ることを意味している。
【００５５】
さらにまた、各ポケットに、減少する長さの単一のコースと、それに対応する拡大する長さの単一のコースが設けられることは必須ではない。それどころか、ポケット１７及び１９を編む時に、多数の列で、コースの縮小及び拡大を実行することが可能である。重要なことは、編物の各ポケットが、各円形コースで始まって終わり、かつ、減少するコースから成る少なくとも一つの列と、拡大するコースからなるそれに対応する列とを有することだけである。
【００５６】
図３Ａ〜７Ａは、ポケット１７の部分１７Ｄを編む時に形成される二つの対向するラインＬ１７に関連する編物の端部領域を示している。以下に説明する行程は、ポケット１９を形成するために繰り返される。
【００５７】
図３Ａ〜図７Ａに説明した領域に沿って、ステッチコースの端部は配置される。図３Ａ〜７Ａでは、中心省略を示す符号Ｉによって示されているように、編物の中心領域が省略されており、部分的なコースの二つの端部領域だけが、示されている。図３Ｂ〜７Ｂは、図３Ａ〜７Ａに示された編物を形成するためにニードルに与えられる制御方法を示している。公知の形式によれば、これらの図面では、符号Ｓ、Ｔ及びＢは、ニードルシリンダの連続する回転の円形ニードルベッドのニードルが採る位置を示している。Ｓは各ニードルが網目閉じ位置に位置すること、即ち、ニードルが形成したステッチから離され、次の回転でヤーンをキャッチする準備をすることを示している。Ｔは、対応するニードルが、係合したヤーンを保持し、ステッチ形成を停止する保持位置に位置することを示している。Ｂは、対応するニードルが、ヤーンと係合してなく、かつ、ステッチを形成していない低位置に位置していることを示している。
【００５８】
図３Ａは、第一筒状足片３を形成する第一編みステップの最後を画定する最後の完成コース２３を示している。このコース２３は、装置のニードルシリンダに設けられた全てのニードルＡを使用して形成されている。図３Ａに加えて残りの図面では、編物は平面で示されており、さらにまた、各図面の右側に示されたステッチの切断端部は、左側のステッチの対応する端部に繋がることを意図されていることは理解されるべきである。
【００５９】
図３Ａ〜７Ａにおいて全体が符号３で示された最後のコース２３及びそれより前のコースは、ニードルシリンダの連続回転によって従来の方法で編まれる。
【００６０】
図３Ａを参照すると、最後のコース２３を形成する回転に続く回転は、装置のフィードの数に等しい数、図示実施例においては四つの部分的なコースを形成する。これら四つのコースは、コース２３より短い（即ち、これら四つのコースは、少ない数のステッチで形成される）。Ｆ１、Ｆ２、Ｆ３及びＦ４は、これらの第一の四つの部分的なコースを形成する四つのフィードの四本のヤーンを示している。ニードルシリンダが連続回転運動をしているので、ヤーンＦ１〜Ｆ４は、それらが形成するステッチの各四つのコースの最初及び最後で切断される。ヤーンＦ１〜Ｆ４によって形成される四つのコースの端部で、これらヤーンの端部は、このために適切に選択され動かされた端部ニードルのグループによって保持される。
【００６１】
図示実施例では、図３ＡにおいてヤーンＦ１〜Ｆ４によって形成される部分的なコースは、最後の完成コース２３より少ない六つのステッチを有する。ヤーンＦ１〜Ｆ４は、ヤーンＦ１〜Ｆ４によって形成される四つの部分的なコースのセットの両端部に対して符号Ａ１、Ａ２及びＡ３で示された三つのニードルの各グループに対応する各部分的なコースの端部で終端する。他の実施例では、コースの長さの縮小は、ニードルの数とは異なる変化で生じ得る。例えば、部分コースの各端部で処理から外れる三つのニードルの代わりに四つのニードルで変更され得る。各回転時に３＋３で作業ニードルの数を減らすことは、一方において、ヤーンの切断端部を効果的に保持することが可能になり、他方において、コース長を十分に徐々に縮小することが可能になり、非常に幅広い織物ポケット１７及び１９を形成することが可能になるので、特に、有利である。
【００６２】
幾つかの実施例では、ニードルＡ１、Ａ２及びＡ３は、図３ＡにニードルＡ１及びＡ３で示すように、ヤーンＦ１〜Ｆ４によって形成される四つの部分的なコースの各端部において、保持位置にあり得る。ニードルＡ１及びＡ３は、好ましくは、それらがコース２３に形成されたステッチ（符号Ｍ２３で示す）を保持し、かつ、ステッチを形成することなく、ニードルシリンダの次の回転時に供給されるヤーンＦ１〜Ｆ４を保持するような位置に置かれる。ニードルＡ１及びＡ３のこの位置は、「保持」位置と称される。また、幾つかの実施例では、ニードルＡ２も、ニードルＡ１及びＡ３のように保持位置に置かれ得る。
【００６３】
しかし、図３Ａに示した実施例では、各三つのニードルＡ１、Ａ２及びＡ３の中間ニードルＡ２は、ヤーンＦ１〜Ｆ４によって形成される部分コースの端部で低位置にある。これらのニードルは、前の回転の間に形成され、コース２３に属するステッチＭ２３を保持するが、その回転中にヤーンＦ１〜Ｆ４が第一の四つの部分的なコースを形成する次の回転で供給されるヤーンＦ１〜Ｆ４は保持しない。従って、ニードルＡ２に関連する、四つのフロートループがある。
【００６４】
図３Ｂのスキームには、各ニードルの制御が示されており、ここでは、Ｓは各ステッチを形成するキャストオフ位置にニードルを移動させる制御を示しており、Ｔは各ニードルを保持位置に移動させる制御を示しており、Ｂはニードルを低位置に移動させる制御を示している。
【００６５】
再び、図３Ａを参照すると、ニードルシリンダの次の完全な回転により、ヤーンＦ５、Ｆ６、Ｆ７及びＦ８によって別の新しい四つの部分的なコースのセットが形成される。ヤーンＦ５〜Ｆ８は、実際には、ヤーンＦ１〜Ｆ４が送られてくるフィードと同じフィードから送られてくる。従って、それらは、実際には、同じヤーンの異なるセグメントによって構成されており、即ち、ヤーンＦ５はヤーンＦ１のセグメントである等である。
【００６６】
三つのニードルＡ４〜Ａ６が、四つのコースの二つの端部の各々に関連して作業を行わせられるので、ヤーンＦ５〜Ｆ８によって形成された四つのコースは、ヤーンＦ１〜Ｆ４によって形成された四つのコースより短い。三つのニードルＡ１〜Ａ３を参照して既に説明したように、ニードルＡ４及びＡ６は保持位置にあり、ニードルＡ５は低位置にある。
【００６７】
次の回転で、三つのニードルＡ７、Ａ８及びＡ９は、次のシリーズの四つの部分的なコースの対向する端部で作業が停止させられる。ニードルＡ７及びＡ９は保持位置にあり、ニードルＡ８は低位置にある。各ニードルＡ７〜Ａ９は、前の回転で形成された最後のステッチを保持する。
【００６８】
徐々に縮小する長さのコースを形成するこの行程は、図３Ａに概略的に示すように、最短の長さのコースＲＭ１７を形成するまで継続する。縮小する部分的なコースの実際の数は、ポケット１７及び１９を形成する行程を説明するために、丁度、図３Ａに概略的に示した数より相当多いことに注意するべきである。
【００６９】
実質的に、ニードルシリンダの連続回転による最後の完全なコース２３の形成を発端として、ニードルを作業から段階的に除外して、部分的なコースは、装置のフィードから供給されるヤーンによって徐々に縮小する長さで形成され、各部分コースの両端部に対応する位置で切断され、四つの徐々に縮小するコースの各セットに対応する適当に選択された端部ニードルによって保持される。
【００７０】
ニードルシリンダの連続回転が継続している間、長さ縮小された様々なコースを形成するために、段階的に保持位置又は低位置に持ってこられるニードルＡ１〜Ａ３、Ａ４〜Ａ６及びＡ７〜Ａ９は、ポケット１７の部分１７Ｄが完全に編まれるまで、その位置に残り、そして、図４Ａ〜図７Ａを参照して以下に説明するようにポケット１７の部分１７Ｃを形成するために、それらのニードルは段階的に作業に戻らされる。
【００７１】
幾つかの実施例では、一度、ポケット１７の部分１７Ｄが、最短の長さの最終コースＲＭ１７を形成することで完全に編まれると、ニードルシリンダの次の回転が行われ得、その間に、フィードのヤーンが、ステッチから成る完全な円形コースを形成し、同時に、三つのフィードの残るヤーンで、前の回転の間に形成された最後の四つのコースの長さに等しい長さ、即ち、コースＲＭ１７の長さに等しい長さの三つの部分コースが編まれ得る。
させるまで、この位置に残る。
【００７２】
この選択可能なステップは、図４Ａでよりよく説明される。この図面では、Ｆ１、Ｆ２、Ｆ３及びＦ４は、最短の長さのコースＲＭ１７を形成した回転に続くニードルシリンダの第一の回転の間に、ステッチを形成する四つのフィードの四つのヤーンを示している。この回転は、実際には、部分１７Ｄの編みステップの終わりと、部分１７Ｃの編みステップの開始との間の中間ステップである。この回転の間、ニードルは、ヤーンＦ１が、ステッチの完全なコースを形成し、ヤーンＦ２〜Ｆ４、コースＲＭ１７の長さと同じ長さの部分的なコースを形成するように制御される。
【００７３】
図４Ａに示すように、三つのフィードのヤーン（ヤーンＦ２、Ｆ３及びＦ４）は、前の四つのコース、即ち、シリンダの前の回転の間に形成されたコースと同じ長さを有する三つの部分的なコースを形成する。四つのヤーンの一つ、図示実施例におけるヤーンＦ１は、前に形成された部分的なコースの二つの端部のそれぞれにある三つのニードルＡ７〜Ａ９、Ａ４〜Ａ６及びＡ１〜Ａ３を含む円形ベッドの全てのニードルに供給される。ヤーンＦ１は、（保持位置又は低位置において）予め作業から外されたままの、これらのニードルによって編まれ、完全なコースを形成するステッチ列ＭＩを形成する。これらのステッチＭＩは、ポケット１７の部分１７Ｄを編む前のステップの間に段階的に作業から外された単一の三つ組みニードルによって保持されたエンドステッチで編まれる。例えば、シリンダの前の回転の間に形成された四つの部分的なコースの端部にある二つの三つ組みニードルのニードルＡ７及びＡ９は、前の回転の間に四つのフィードを用いて形成された四つのステッチで編まれた各ステッチＭＩを形成する。ニードルＡ２は、同じニードルによって、ニードルシリンダの最後の回転より前の二回転で形成されたステッチで編まれたヤーンＦ１でステッチＭＩを形成する。ニードルＡ１、Ａ２及びＡ３によって保持されたステッチＭ２３は、ヤーンＦ１で編まれる。ニードルＡ１〜Ａ３も、ヤーンＦ１で各ステッチＭ１を形成する。図示実施例に示すように、各三つ組みの中間ニードル（例えば、ニードルＡ２、Ａ５及びＡ８）は、低位置で保持され、保持位置では保持されない。
【００７４】
図４ＢにおけるＳ、Ｔ及びＢは、この行程に含まれるニードルを上昇及び下降するための制御を概略的に示している。
【００７５】
幾つかの実施例では、完全なコースを形成する上述のステップは省略され得る。他の実施例では、例えば、ニードルシリンダを一回転より多く回転することで、又は、一つだけではなく、二つのヤーン（即ち、二つのフィード）で完全なコースを形成することで、図４Ａを参照して説明したステッチの一つの完全なコースよりも多く形成することが可能である。
【００７６】
図５Ａは、次のパッセージを示しており、ここでは、ニードルシリンダの新しい回転が終了した時、長さを拡大したステッチの第一の四つのコースが形成される。より詳細には、四つのフィードが、新しい四つの部分的なコースのセットを形成し、この実施例では、これらの部分的なコースは、前の回転の間にヤーンＦ２〜Ｆ４によって形成されるコースの長さより長い六つのステッチから成る長さを有する。第一フィードのヤーンＦ１は、ニードルＡ９、Ａ８及びＡ７によって係合され、これらのニードルに予め保持されたステッチでヤーンＦ１が編まれる。ニードルＡ９及びＡ７は保持位置にあり、これらのニードルは、前の回転の間に保持された四つのヤーンを用いてヤーンＦ１を編む。ニードルＡ８は低位置にあり、このニードルは、一つだけのステッチでヤーンＦ１を編む。この方法では、ヤーンＦ１は、前に形成した部分的なコースによって形成される端部ステッチに結合する。残りの四つフィードのヤーンＦ２〜Ｆ４は、同じ方法でステッチを形成する。部分的なコースの端部で停止している各三つ組みのニードルにおいて、保持位置の代わりに低位置にニードルを置くことにより、ラインＬ１７及びＬ１９に関して薄い編物を得ることが可能になる。
【００７７】
次の図６Ａ及び７Ａは、どのようにして、ニードルシリンダの次の回転によって、段階的に拡大する長さの四つの部分的なコースのセットが形成されるかを示している。各セットは、装置に設けられた四つのフィードの四つのヤーンＦ１〜Ｆ４によって形成される。両方の図面において、Ｆ１〜Ｆ４は、各図面において示された回転の間に、四つの部分的なコースの最後のセットを形成する四つのフィードのヤーンを示している。
【００７８】
この工程は、織物のポケット１７の部分１７Ｃの最後のコースを構成する完全なコース２５を得るまで続けられる。後続の回転毎に、形成されたコースは、四つのフィードの一つからのヤーンを用いて、前の四つのコースのセットの二組の三つ組み端部ニードルによって保持されたステッチに連結される。図５Ａ〜７Ａに対応する図５Ｂ〜７Ｂは、再び作業に加えられるニードルに与えられる制御を概略的に示しており、上述した記号を同じ記号を使用している。Ｓはキャストオフニードルであり、Ｔは保持ニードルであり、Ｂは低ニードルである。
【００７９】
図３Ａ〜７Ａの順序から、どのようにして、縮小するコースから成る部分１７Ｄと、拡大するコースから成る部分１７Ｃとの二つの部分で１ポケット１７が製造されるかは明らかであり、段階的に縮小する長さの一連の部分的なコースを形成し、次いで、段階的に拡大する長さの部分的なコースを形成し、様々なフィードから供給されるヤーンを各コースの端部で切断し、拡大するコースの端部を、低ニードル及び各部分的なコースの端部で保持されたニードルによって一時的に保持された縮小するコースの端部に連結する。
【００８０】
織物のポケット１９は、縮小するコースから成る部分１９Ｄから始まり、続いて、拡大するコースから成る部分１９Ｃを形成する鏡像的な方法で形成される。ポケット１７の形成とポケット１９の形成との間に、本体部分の筒状中心部分１５は、ニードルシリンダの連続動作によって形成される。
【００８１】
図３Ａ〜７Ａ及び図３Ｂ〜７Ｂを参照して説明する実施例では、縮小し拡大する部分的なコースの形成において、ポケット１７の形成及びポケット１９の形成の両方で、縮小し、そのご  拡大する部分を形成するために停止して維持されるニードルの数は六つであり、各コースの各端部に対して三つのニードルがある。これは、コース毎に編まれるステッチの数を減少又は増加するために、（ニードルシリンダの回転）ステップ毎に、コースの各端部で三つ組みのニードルが停止され、又は作動されることを意味する。これは、一方では、部分的なコースのステッチが分離しないことを保証し、他方では、幅広い織物のポケットを形成することを可能にする。
【００８２】
実際、連続回転によって、各部分的なコースの形成の最初及び最後に、各ヤーンは、図３Ａ〜７Ａに示すように切断されるべきである。各ヤーンの端部は、従って、製品、即ち、下着の伝線を避けるために保持されるべきである。これは、次の作業ステップにおいて、各部分的なコースの端部で三つのニードルによって形成されることになるステッチから成るアンカーを用いることで達成される。例えば、図４ＡにおいてＦＡ、ＦＢ、ＦＣ及びＦＤによって示されるヤーンの端部は、部分的なコースの両端でニードルＡ７、Ａ８及びＡ９によってヤーンＦ１で形成されるステッチによって係合される。
【００８３】
三つのニードル及びそれによって形成される各三つのステッチの数は、切断ヤーンの端部を保持するのに十分である。回転毎に停止又は作動されるニードルの数を多くすることは、切断ヤーンのランプルーフ性能（ｒｕｎ−ｐｒｏｏｆ  ａｂｉｌｉｔｙ）の観点からは大きな利点を与えないが、より小さなポケットの形成で、部分的なコースの長さの、より早い縮小（そして続いて拡大）をもたらすことになる。これは、下着、即ち、製品の体へのフィット性の改善の観点からは効果が弱い。
【００８４】
図示実施例では、減少部分を形成するために一時的に停止させられている各三つ組みのニードルにおける、中心ニードルは低位置にあり（例えば、ニードルＡ２、Ａ５及びＡ８参照）、二つの隣接するニードル（ニードルＡ１及びＡ３、ニードルＡ４及びＡ６又はニードルＡ７及びＡ９）は保持位置にある。既に説明したように、この方法では、フロートループ（Ｆｆ）が、各三つ組みニードルの中間ニードルに関して形成される。これにより、それらが各端部で三つのステッチによって留められるので、切断ヤーンの端部を効果的に留めることが可能になる。また、これにより、中間ニードルが四つのヤーンのセットでステッチを形成しないので、編物構造体を軽くすることも可能になる。
【００８５】
図８，９及び１０は、装置に設けられた四つのフィードを備えたカムの平面図を示しており、キャストオフレベル、保持レベル及び低レベルのそれぞれでニードルが通る軌道を示している。
【００８６】
より詳細には、図８は、キャストオフニードル、即ち、ステッチを形成するニードルのフックＵとヒールＴの軌道を示している。Ｊはジャッキ（図示せず）のヒールの軌道を示している。
【００８７】
同様に、図９は、保持ニードル、即ち、各部分的なコースが形成された後に、部分的なコースの対向する端部で切断ヤーンを保持するニードルのフックＵ及びヒールＴに加えてジャッキＪの軌道を示している。
【００８８】
図１０は、編物のポケットを形成する部分的なコースの各端部で低レベルにあるニードルのフックＵ、ヒールＴ及びジャッキＪの軌道を示している。
【００８９】
上述した工程では、製品、即ち、下着が、本体部分及び二つの足片によって形成され、完全に閉鎖した形態で、即ち、下着を着るための開口がない形態で、場合によっては、足片の端部に開口を設けただけの形態で、丸編み装置から出る。下着を着るためのウェストに対応する開口が、装置から下着が外された後に、ライン１３に沿って切断し、公知の方法に従って弾性エッジ１１を設けることによって形成される。
【００９０】
しかし、好ましい実施例によれば、本体部分７を編んでいる間に、丸編み装置で形成される編み製品に開口１３を形成することが可能である。図１２〜２２は、この開口を形成する工程の実施例を示している。各図１２Ａ，１３Ａ，１４Ａ，１５Ａ，１６Ａ，１７Ａ，１８Ａ，１９Ａ，２０Ａ及び２１Ａは、各図１２，１３，１４，１５，１６，１７，１８，１９，２０及び２１において、符号Ａで示した対応する領域の拡大図を示している。
【００９１】
図１２〜２１は、矢印Ｆ１０１に従って回転するニードルシリンダ１０１に設けられた環状ニードルヘッドの上面図を概略的に示している。図示実施例では、４００のニードルが設けられており、ここでは、Ａ１がこれらのニードルの一つを示し、第一ニードルとして参照され、Ａ４００は、ニードルＡ１のニードルシリンダ１０１の回転方向上流にある、そのニードルＡ１に隣接するニードルを示し、最終ニードルとして参照される。Ｇ１，Ｇ２，Ｇ３及びＧ４は、四つのヤーンガイドを示しており、各ヤーンガイドは、この実施例において装置に設けられた四つのフィードに対応するＦ１，Ｆ２，Ｆ３及びＦ４で示された各ヤーンを供給する。
【００９２】
図１２〜図２１の順番での以下の説明は、丸編み装置で編んでいる間に、本体部分７に開口１３を形成するための作業のみに関する。サイドポケット１７及び１９に対応する縮小及び拡大を形成する残りの作業は、既に上述したように実行されるので、再度説明はしない。
【００９３】
開口１３は、例えば、環状編物によって形成された、又は、上述したように拡大部分と縮小部分によって画定された編物のポケットを形成するサイドポケット１７及び１９に部分的に形成された本体部分の中心部分１５においてのみ生成され得る。一般的には、開口１３は、本体部分７の対称的な部分、言い換えれば、左右対称の面又は前後の面に関して対称的な部分に形成される。また、開口は、前方又は後方に、好ましくは前方に移動され得、臀部領域により多くの織物がくるようにされ得る。以下の説明から明らかになるように、開口の位置は、ニードルを選択するだけで、容易に設定及び改良され得る。
【００９４】
簡単化の目的のために、以下の説明では、開口は中心でかつ左右対称に配置される。
【００９５】
一般的には、開口１３は、本体部分７を編んでいる間に、その開口に対応する四つのフィードＧ１〜Ｇ４で供給されるヤーンＦ１〜Ｆ４を切断して、編物に中断部分を作ることによって形成される。
【００９６】
図１２及び１２Ａは、丸編み装置で編んでいる間に、本体部分７において開口１３の形成が開始される瞬間を示している。より詳細には、第一ヤーンガイド、即ち、フィードＧ１からのヤーンＦ１がニードルＡ１に係合され、開口１３の開始部分に対応するステッチの第一コースの形成を始める。図示実施例では、全体が符号１０１で示されたニードルシリンダが矢印Ｆ１０１に従って反時計方向に回転しているので、ヤーンガイドＧ１によって画定されたフィードからのヤーンＦ１を用いた第一コースの形成は、次の図１３及び図１３Ａに示すように続く。これらの図面では、ニードルＡ１は、第二ヤーンガイド、又はフィードＧ２の位置を通過し、第二フィードの第二ヤーンＦ２は、第二コースを編み始めるニードルＡ１によって、図１３Ａの拡大図に示す第一ステッチに係合される。
【００９７】
回転を継続すると、図１４及び１４Ａにおいて、第一ニードルＡ１は、第三フィードを具現化する第三ヤーンガイドＧ３の前を通過し、第三フィードの第三ヤーンＦ３を用いたステッチの第三コースの形成を開始する。矢印Ｆ１０１に従って、回転を継続すると、図１５及び１５Ａに示すように、第一ニードルＡ１は、第四フィードを具現化する第四ヤーンガイドＧ４の前を通過し、ヤーンＦ４を用いた、第四コースの形成が開始される。
【００９８】
図１６及び１６Ａに示した位置を通過し、シリンダ１０１は、矢印Ｆ１０１に従って回転し続け、図１７及び１７Ａに示した位置に達する。ここで、第一ヤーンＦ１は環状ニードルベッドの最後のニードルＡ４００によって係合され、ステッチの第一コースを完成させる。この地点で、第一フィードのヤーンＦ１は、図１７Ａに示した切断部材によって、概略的に示すように切断される。これから、最終製品で開口１３を形成することになる編物の中断が始まる。
【００９９】
フィードＧ２、Ｇ３及びＧ４で供給されるヤーンＦ２、Ｆ３及びＦ４を用いて形成されるコースは未だ完成されていないので、ニードルシリンダ１０１は、その後、連続する図１８，１９、２０及び２１に示すように、矢印１０１に従って回転し続け、ニードルＡ１から始まる複数のニードルが、それらが第四ヤーンガイドＧ４に対応する第四フィードを超えると、段階的に作業から外される。
【０１００】
この回転を継続して、ニードルＡ１〜Ａ４００は、図２１及び図２１Ａの拡大図に示すように、第四ヤーンガイドＧ４に対応する第四フィードからのヤーンＦ４を用いて、第四コースの形成が完了するまで、ヤーンガイドＧ１〜Ｇ４の前を回転し続ける。
【０１０１】
ニードルＡ４００がフィードＧ２，Ｇ３及びＧ４の前の通過する時に、ヤーンＦ２、Ｆ３及びＦ４は切断される。例えば、図１８及び図１８Ａの拡大図には、４００番目のニードルＡ４００が、ヤーンガイドＧ２の前を通過して第二コースを完成するステップを示しており、その結果、第二ヤーンＦ２は、図１８Ａにおける切断部材によって概略的に示されているように切断され得る。
【０１０２】
同様に、図１９及び図１９Ａの拡大図には、ニードルＡ４００が、第三フィードに対硫黄するヤーンガイドＧ３の前を通過して、第三コースの最後のステッチを完成し、かつ、第三ヤーンＦ３が切断される瞬間が示されている。
【０１０３】
図２０では、ニードルＡ４００がヤーンガイドＧ４の前を通過し、第四ヤーンガイドＧ４に対応する第四フィードからくる第四ヤーンＦ４によって形成される第四コースを完成させる。ヤーンＦ４は切断される（図２０Ａ参照）。
【０１０４】
図２１及び２１Ａでは、ニードルシリンダ１０１の角度位置が、図１２及び１２Ａの位置とほぼ同じである。第一ヤーンガイドＧ１から供給され、既に切断された第一フィードのヤーンＦ１は、再び、シリンダ１０１の環状ニードルベッドの第一ニードルＡ１によって係合され、第五コースの形成を始める。
【０１０５】
その工程は、上述したように、ヤーンＦ１〜Ｆ４によって第五コースの第五のセットを形成するために再び、始まる。この工程は、開口１３を形成するために必要な回数繰り返される。
【０１０６】
コースが、ニードルシリンダ１０１のニードルＡ１〜Ａ４００を用いて完成されるたびに、各ヤーンＦ１〜Ｆ４が切断されるので、このステップで形成される本体部分７に対応する編物は連続していないが、開口１３が完成するまで、形成された全てのコースにおいて単一ヤーンＦ１〜Ｆ４の切断と同時に起こる中断部を有する。
【０１０７】
この開口を形成している間、ニードルシリンダ１０１の回転数は、実質的に、連続したままである織物、即ち、開口１３がない織物の場合に必要とされる回転数の実質的に倍であることが注目されるべきである。なぜなら、これにより、各ヤーンＦ１〜Ｆ４で完成したコースを形成するためには、シリンダ１０１が完全に回転して、全てのニードルＡ１〜Ａ４００が各フィードＧ１〜Ｇ４の前を通過するようにする必要が生じるからである。例えば、ニードルシリンダ１０１が、図１２及び１２Ａの位置から、図１７及び１７Ａの位置まで３６０度回転する間に、ニードルＡ１〜Ａ４００がフィードＧ１のヤーンＦ１によって第一コースを生成することが注目されるべきである。この段階では、ヤーンガイドＧ２、Ｇ３及びＧ４に対応するフィードのヤーンＦ２、Ｆ３及びＦ４は、各コースの形成を未だ完了してなく、従って、ニードルシリンダ１０１は、図１７及び１７Ａの位置から図２１及び２１Ａの位置まで、さらに３６０度回転し続ける。この連続する回転の間に、フィードＧ１によって供給されるヤーンはなく、ヤーンＦ１はステッチを形成しない。残りのヤーンＦ２〜Ｆ４のために、それぞれ、９０度、１８０度及び２７０度、変位して同じことが生じる。一度切断されると（図１７及び１７Ａ参照）、ヤーンＦ１は、ニードルシリンダ１０１が図２１及び２１Ａの角度位置を通過し、図１２及び１２Ａの角度位置に戻った時だけ、再び、ステッチの形成を開始する。この角度位置では、ニードルＡ１が、前に切断されたヤーンＦ１の先端に再び係合し、前記ヤーンＦ１を用いて次のコースの形成を開始する。同じことが、残りのヤーンＦ２〜Ｆ４の全てに生じる。
【０１０８】
ニードルＡ１、即ち、ニードルシリンダ１０１の環状ベッドを考慮すると第一ニードルが、一度、全ての四つのフィードＧ１〜Ｇ４の前を通過し、四つのヤーンＦ１〜Ｆ４でステッチを形成すると、そのニードルは、作業から外され、ニードルシリンダ１０１の第二の回転が完了するまで、作業から外したままになる。同じことが、ニードルＡ１の後の他のニードルにも生じ、それらは、ヤーンガイドＧ４によって具現化される第四フィードから供給される第四ヤーンＦ４で第四コースの形成を完了させるにつれて、段階的に作業から外される。
【０１０９】
図１６〜２１の拡大図には、作業ニードルが太線で示されており、作業していないニードルは細線で示されている。例えば、図１６及び１６Ａでは、第一ニードルＡ１が細線で示されており、同様に、ニードルＡ１１までの十個の続きのニードルが細線で示されている。ニードルＡ１２〜Ａ４００は、未だ作業中である。ニードルシリンダ１０１が回転し続けているので、第四フィードＧ４の前を通過するニードルは、ニードルシリンダ１０１の第二の完全な回転が完了するまで、段階的に作業から外される。
【０１１０】
図２２は、本体部分７の織物の一部分に、より正確には、ポケット１７の部分１７Ｃを形成する長さを拡大する部分的なコースもある領域に開口１３を形成する工程の結果で得られる最後の状態を示している。ニードルＡ１とニードルＡ４００との間の中間部分では、順にコースを形成するヤーンＦ１〜Ｆ４が中断され、本体部分７を編む間に、開口１３を形成する。
【０１１１】
ヤーンの弾性は、開口１３を形成する中断部分に隣接するステッチの伝線を回避するのに十分である。必要に応じて、ヤーンＦ１〜Ｆ４の切断点に隣接するステッチを形成する領域でニードルを適当に選択して、織物のランプルーフ（伝線防止加工）を形成することが可能である。ランプルーフ織物を形成するためのこの選択は公知であり、ここでさらに詳細に説明する必要はない。
【０１１２】
上記した説明は、製造時間を非常に短縮することができる四つのフィードを備えた装置に関する。このフィードの数は、好ましい数であるが、これは単なる非限定的実施例であり、以下に説明する方法は異なる数のフィード（四つより多いフィードでも、少ないフィードでも）実行することが可能である。
【０１１３】
上述した図示実施例は、本発明の実施形態の実施例として詳細に説明された。添付した特許請求の範囲で限定された本発明の原理、概念の範囲及び教示を逸脱することなく、改良、変更、付加及び省略が可能であることは当業者には明らかである。従って、本発明の範囲は、添付した特許請求の範囲の最も広い解釈に基づいて独占的に決められるべきであり、これらの改良、変更、付加及び省略は、この範囲に含まれる。用語「備えている」「備えるために」等は、特許請求の範囲で挙げられた特徴に加えられる別の要素又はステップの存在を排除するものではない。原文において特許請求の範囲の要素、手段又は特徴の前に付与された不定冠詞（”ａ”及び”ａｎ”）は、それらの要素、手段及び特徴が複数あることを排除するものではない。装置の請求の範囲が複数の「手段」を請求している場合には、幾つかの「手段」又はそれら全ての「手段」が、単一の構成要素、部材又は構造体によって作動され得る。従属項における要素、特徴又は手段の限定は、前記要素、特徴又は手段の組み合わせの可能性を排除するものではない。方法の請求の範囲が、複数のステップから成るシーケンスを列挙している場合には、それによって、これらのステップが列挙されるシーケンスは、縛るものではなく、変更することができ、特別なシーケンスは縛るものとして示されているものではない。特許請求の範囲に付加されている符号は、図面及び詳細な説明を参照して特許請求の範囲を読み易くするために設けられているもので、特許請求の範囲に表された保護範囲を限定するものではない。
【図１】
2016526611.tif 000003
【図２】
2016526611.tif 000004
【図３Ａ】
2016526611.tif 000005
【図３Ｂ】
2016526611.tif 000006
【図４Ａ】
2016526611.tif 000007
【図４Ｂ】
2016526611.tif 000008
【図５Ａ】
2016526611.tif 000009
【図５Ｂ】
2016526611.tif 000010
【図６Ａ】
2016526611.tif 000011
【図６Ｂ】
2016526611.tif 000012
【図７Ａ】
2016526611.tif 000013
【図７Ｂ】
2016526611.tif 000014
【図８】
2016526611.tif 000015
【図９】
2016526611.tif 000016
【図１０】
2016526611.tif 000017
【図１１】
2016526611.tif 000018
【図１２】
2016526611.tif 000019
【図１２Ａ】
2016526611.tif 000020
【図１３】
2016526611.tif 000021
【図１３Ａ】
2016526611.tif 000022
【図１４】
2016526611.tif 000023
【図１４Ａ】
2016526611.tif 000024
【図１５】
2016526611.tif 000025
【図１５Ａ】
2016526611.tif 000026
【図１６】
2016526611.tif 000027
【図１６Ａ】
2016526611.tif 000028
【図１７】
2016526611.tif 000029
【図１７Ａ】
2016526611.tif 000030
【図１８】
2016526611.tif 000031
【図１８Ａ】
2016526611.tif 000032
【図１９】
2016526611.tif 000033
【図１９Ａ】
2016526611.tif 000034
【図２０】
2016526611.tif 000035
【図２０Ａ】
2016526611.tif 000036
【図２１】
2016526611.tif 000037
【図２１Ａ】
2016526611.tif 000038
【図２２】
2016526611.tif 000039
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
少なくとも一つ環状ニードルベッドを有する丸編み装置において、二つの足片及び本体部分を有する編物製品を製造する方法であって、
ａ）  連続動作で第一の足片を編むステップと、
ｂ）  第一足片の端部コースから始まり、連続動作で、前記本体部分の第一サイド部分を形成する第一織物ポケットを編むステップと、
ｃ）  連続動作で前記本体部分の中心部分を編むステップと、
ｄ）  連続動作で、本体部分の中心部分から始まり、第二足片のスタートコースに至るまで第二織物ポケットを編むステップと、
ｅ）  連続動作で、スタートコースから始まる第二足片を編むステップと
を備え、
連続動作で、第一織物ポケットを編むステップ（ｂ）が、
第一足片の最後のコースから始まり、作動ニードルの数を段階的に減らし、最小の長さの部分的なコースに至るまで長さを段階的に減らして部分的なコースを形成する、連続動作で第一の一連の部分的なコースを編むステップと、
最小の長さの部分的なコースから始まり、作動ニードルの数を段階的に増やし、完全なコースを形成するまで、長さを段階的に拡大して部分的なコースを形成する、連続動作で第二の一連の部分的なコースを編むステップと
を有し、
前記第一の一連の部分的なコース及び前記第二の一連の部分的なコースの各部分的なコースが編まれた後に、各部分的なコースを形成したヤーンを切断し、
連続動作で、第二の編物ポケットを編むステップ（ｄ）が、
本体部分の中心部分の最後の完全なコースから始まり、作動ニードルの数を段階的に減らして、最小の長さの部分的なコースに至るまで長さを段階的に縮小しながら部分的なコースを形成する、第三の一連の部分的なコースを編むステップと、
最小の長さの部分的なコースから始まり、作動ニードルの数を段階的に増やして、全環状ニードルベッドを再び作動させるまで長さを段階的に拡大しながらコースを形成する、第四の一連の部分的なコースを編むステップと
を有し、
前記第三の一連の部分的なコース及び前記第四の一連の部分的なコースの各部分的なコースが編まれた後に、前記各部分的なコースを形成したヤーンが切断され、
作動ニードルの数を段階的に減らすことが、部分的なコースの各端部で、ヤーンの切断端部を保持する複数のニードルの作動を停止することによって実行され、
部分的なコースの各端部で複数の各ニードルの作動を停止することが、フロートループを形成するために中間ニードルを低位置にもっていき、かつ、中間ニードルに隣接する二つのニードルを保持位置にもっていくことから成る
ていることを特徴とする方法。
【請求項２】
全ての編むステップが、偶数の数のフィード、好ましくは、少なくも二つのフィード、より好ましくは、少なくとも四つのフィードによって実行され、かつ、
好ましくは全ての編むステップが、少なくとも一つのＳヤーン及び少なくとも一つのＺヤーンによって実行される
ことを特徴とする請求項１に記載の方法。
【請求項３】
前記本体部分の中心部分が、ステッチの複数の環状コースによって形成される筒状構造体を有する
ことを特徴とする請求項１又は２に記載の方法。
【請求項４】
第一の一連の部分的なコースが編まれた後、かつ、第二の一連の部分的なコースを編む前に、少なくとも一つのフィードのヤーンを用いて全環状ニードルベッドを通して完全なコースが編まれる
ことを特徴とする請求項１〜３の一つ又は複数に記載の方法。
【請求項５】
連続動作によって前記本体部分の中心部分を編む前記ステップが、編物の環状部分を編む、全環状ニードルベッドを使用して実行される
ことを特徴とする請求項１〜４の一つ又は複数に記載の方法。
【請求項６】
第三の一連の部分的なコースが編まれた後、かつ、第四の一連の部分的なコースを編む前に、
環状ニードルベッド全体を通して完全なコースが編まれる
ことを特徴とする請求項１〜５の一つ又は複数に記載の方法。
【請求項７】
前記複数のニードルが、少なくとも三つのニードルを備え、好ましくは、三つのニードルから成る
ことを特徴とする請求項１〜６の一つ又は複数に記載の方法。
【請求項８】
作動ニードルの数の段階的な増加が、部分的なコースの各端部で複数の各ニードルを再び作動させることで実行される
ことを特徴とする請求項１〜７の一つ又は複数に記載の方法。
【請求項９】
前記複数のニードルが三つのニードルから成り、
各三つ組みのニードルにおいて、中間ニードルがフロートループを形成するために低位置にもっていかれ、残りの二つの端部ニードルが保持位置にもっていかれる
ことを特徴とする請求項１〜８の一つ又は複数に記載の方法。
【請求項１０】
開口を形成するために少なくとも本体部分の中心部分を切断するステップをさらに備えている
ことを特徴とする請求項１〜９の一つ又は複数に記載の方法。
【請求項１１】
本体部分の少なくとも一部を編む間に、織物に開口を形成するステップをさらに備えている
ことを特徴とする請求項１〜１０の一つ又は複数に記載の方法。
【請求項１２】
連続動作での本体部分の編みの少なくとも一部分の間、各コースが前記開口を形成するために終端される時に、各フィードのヤーンが中断又は切断される
ことを特徴とする請求項１１に記載の方法。
【請求項１３】
本体部分の編みの前記一部分の間、開口が形成される時に、環状ニードルベッドが、前記開口を形成する中断コースの数の二倍に等しい複数の回数、回転する
ことを特徴とする請求項１２に記載の方法。
【請求項１４】
前記開口の周りに、好ましい弾性エッジを適用するステップをさらに備えている
ことを特徴とする請求項１０〜１３の一つ又は複数に記載の方法。
【請求項１５】
足片の端部を閉鎖するステップをさらに有する
ことを特徴とする請求項１〜１４の一つ又は複数に記載の方法。
【請求項１６】
本体部分及び二つの筒状足片を備えた編まれた下着であって、
本体部分が、中心部分の二つの編物サイドポケットを有し、
各ポケットが、筒状足片を形成する編物の伸張部分を構成する第一の一連の部分的なコースによって形成され、
前記第一の一連の部分的なコースの複数のコースが、各足片の完全最終コースから始まり、各ポケットの最小の長さの部分的コースに至る縮小される長さを有し、
かつ、各ポケットが、最小の長さの各コースと本体部分の中心部分との間に配置され、最小の長さの各部分的なコースから始まり、本体部分の中心部分の各完全なコースに至るまで、拡大する長さを有する第二の一連の部分的コースによって形成された
編まれた下着において、
編物ポケットの部分的なコースが、各コースの端部に対応する位置で切断されたヤーンによって形成され
前記切断ヤーンが、部分的なコースの端部で、多重ステッチ及び前記多重ステッチの間に設けられたフロートループを形成する
ことを特徴とする編まれた下着。
【請求項１７】
本体部分の中心部分が、連続動作で編むことによって得られる構造を有する編物によって製造される
ことを特徴とする請求項１６に記載の編まれた下着。
【請求項１８】
本体部分の前記中心部分、前記足片及び前記織物ポケットが、少なくとも二つのフィードのヤーンによって形成される
ことを特徴とする請求項１６又は１７に記載の下着。
【請求項１９】
各ポケットの二つの隣接する部分の部分的なコースが、結合ラインに沿って分配され、
これらの結合ラインに沿って、完全なコースが伸びる
ことを特徴とする請求項１６〜１８の一つ又は複数に記載の下着。
【国際調査報告】
2016526611.tif 000040
2016526611.tif 000041
2016526611.tif 000042